(57)【要約】【課題】撮影シーン等の機能の設定に応じて、縦横位置やアスペクト比を最適値に自動的に設定することのできる撮像装置および撮像装置の制御方法を提供する。【解決手段】被写体像を光電変換し画像データを出力する撮像素子２１１と、撮影シーンを設定するための十字釦３２を具備し、撮影シーンを選択し（＃１０１）、プレビュー表示する場合には、画像撮像素子２１１から出力される画像データの画像データ出力領域に応じたプレビュー画像１３６を表示し（＃１０７）、撮影シーンが決定されると、アスペクト比等を規定値に決定する。【選択図】  図４
2010212827.tif 000002
【特許請求の範囲】
【請求項１】
被写体像を画像データとして出力する撮像部と、
撮影に係わる撮像装置の複数の機能を一括して設定する設定部と、
上記設定に応じて、上記撮像部の画像データ出力領域の縦横及び／又はアスペクト比を制御する撮像領域制御部と、
を有することを特徴とする撮像装置。
【請求項２】
上記設定部は、撮像装置の撮影シーンモードを設定することを特徴とする請求項１に記載の撮像装置。
【請求項３】
上記撮影シーンモードは、上記画像データ出力領域の縦横及び／又はアスペクト比を制御するものと、制御しないものを含むことを特徴とする請求項２に記載の撮像装置。
【請求項４】
上記撮像領域制御部は、上記設定部により上記画像データ出力領域の縦横及び／又はアスペクト比を制御しない撮影シーンモードが設定された場合は、上記画像データ出力領域の縦横及び／又はアスペクト比を変更しないことを特徴とする請求項２及び請求項３に記載の撮像装置。
【請求項５】
被写体像を光学的に観察するファインダ表示部を更に有し、
上記ファインダ表示部は、上記設定部による設定中は、該設定中の撮影シーンに応じた縦横及び／又はアスペクト比に切り替えることを特徴とする請求項２乃至請求項４に記載の撮像装置。
【請求項６】
上記ファインダ表示部は、上記切り替えられた上記縦横及び／又はアスペクトに応じた被写体像と、その外側の被写体像を異ならせて表示することを特徴とする請求項５に記載の撮像装置。
【請求項７】
上記画像データを逐次表示するライブビュー表示部を更に有し、
上記ライブビュー表示部は、上記設定部による設定中は、該設定中の撮影シーンに応じた縦横及び／又はアスペクト比でライブビュー表示を行うことを特徴とする請求項２乃至請求項４に記載の撮像装置。
【請求項８】
上記ライブビュー表示部は、上記切り替えられた上記縦横及び／又はアスペクトに応じた被写体像と、その外側の被写体像を異ならせて表示することを特徴とする請求項７に記載の撮像装置。
【請求項９】
上記撮像領域制御部は、
上記設定部が横長の撮影シーンを設定した場合は、上記画像データ出力領域を横長に制御し、
上記設定部が縦長の撮影シーンを設定した場合は、上記画像データ出力領域を縦長に制御し、
上記設定部が略正方形の撮影シーンを設定した場合は、上記画像データ出力領域を略正方形に制御する、
ことを特徴とする請求項２乃至請求項８に記載の撮像装置。
【請求項１０】
被写体像を光電変換し画像データを出力する撮像部と、
撮影シーンに応じて、縦横及び／又はアスペクト比、および露出制御や画像処理のための情報を記憶する記憶部と、
上記撮影シーンを設定する設定部と、
上記設定部によって設定された上記撮影シーンに応じて、上記撮像部から出力される画像データの画像データ出力領域を制御すると共に、上記露出制御や画像処理を行う制御部と、
を有することを特徴とする撮像装置。
【請求項１１】
上記設定部によって設定された上記撮影シーンに基づいて、上記縦横及び／又はアスペクト比に応じた被写体像を表示する表示部を更に有することを特徴とする請求項１０に記載の撮像装置。
【請求項１２】
被写体像を画像データとして出力し、
撮影に係わる撮像装置の複数の機能を一括して設定し、
上記設定に応じて、上記画像データ出力領域の縦横及び／又はアスペクト比を制御する、
ことを特徴とする撮像装置の制御方法。
【発明の詳細な説明】
【技術分野】
【０００１】
本発明は、撮像装置および撮像装置の制御方法に関し、詳しくは、撮影画面を縦横位置や異なるアスペクト比に変更可能であると共に、撮影シーンに応じて撮影条件、例えば、シャッタ速度、絞り値、ホワイトバランス等の設定を自動的に行うようにした撮像装置および撮像装置の制御方法に関する。
【背景技術】
【０００２】
従来より、撮影シーン、例えば、風景モード、夜景モード、ポートレートモード等を選択すると、この撮影シーンに適した、シャッタ速度、絞り値、カラーバランス等の撮影条件を自動的に設定する撮像装置が知られている。例えば、特許文献１には、撮影シーンに応じた多数の見本画像の中から撮影時刻等の情報に基づいて必要となる見本画像を選択して表示するカメラ装置が開示されている。
【先行技術文献】
【特許文献】
【０００３】
【特許文献１】特開２００２−２４７４１８号公報
【発明の概要】
【発明が解決しようとする課題】
【０００４】
このように撮影シーンに応じて、シャッタ速度、絞り値、カラーバランス等の撮影条件を自動的に設定する撮像装置が知られているが、この撮像装置では、撮影画面の縦横位置やアスペクト比は、撮影者が手動で設定しなければならず、大変煩わしいものであった。
【０００５】
本発明は、このような事情を鑑みてなされたものであり、撮影シーン等の機能の設定に応じて、縦横位置やアスペクト比を最適値に自動的に設定することのできる撮像装置および撮像装置の制御方法を提供することを目的とする。
【課題を解決するための手段】
【０００６】
上記目的を達成するため第１の発明に係わる撮像装置は、被写体像を画像データとして出力する撮像部と、撮影に係わる撮像装置の複数の機能を一括して設定する設定部と、上記設定に応じて、上記撮像部の画像データ出力領域の縦横及び／又はアスペクト比を制御する撮像領域制御部と、を有する。
【０００７】
第２の発明に係わる撮像装置は、上記第１の発明において、上記設定部は、撮像装置の撮影シーンモードを設定する。
第３の発明に係わる撮像装置は、上記第２の発明において、上記撮影シーンモードは、上記画像データ出力領域の縦横及び／又はアスペクト比を制御するものと、制御しないものを含む。
【０００８】
第４の発明に係わる撮像装置は、上記第２および第３の発明において、上記撮像領域制御部は、上記設定部により上記画像データ出力領域の縦横及び／又はアスペクト比を制御しない撮影シーンモードが設定された場合は、上記画像データ出力領域の縦横及び／又はアスペクト比を変更しない。
【０００９】
第５の発明に係わる撮像装置は、上記第２ないし第４の発明において、被写体像を光学的に観察するファインダ表示部を更に有し、上記ファインダ表示部は、上記設定部による設定中は、該設定中の撮影シーンに応じた縦横及び／又はアスペクト比に切り替える。
第６の発明に係わる撮像装置は、上記第５の発明において、上記ファインダ表示部は、上記切り替えられた上記縦横及び／又はアスペクトに応じた被写体像と、その外側の被写体像を異ならせて表示する。
【００１０】
第７の発明に係わる撮像装置は、上記第２ないし第４の発明において、上記画像データを逐次表示するライブビュー表示部を更に有し、上記ライブビュー表示部は、上記設定部による設定中は、該設定中の撮影シーンに応じた縦横及び／又はアスペクト比でライブビュー表示を行う。
第８の発明に係わる撮像装置は、上記第７の発明において、上記ライブビュー表示部は、上記切り替えられた上記縦横及び／又はアスペクトに応じた被写体像と、その外側の被写体像を異ならせて表示する。
【００１１】
第９の発明に係わる撮像装置は、上記第２ないし第８の発明において、上記撮像領域制御部は、上記設定部が横長の撮影シーンを設定した場合は、上記画像データ出力領域を横長に制御し、上記設定部が縦長の撮影シーンを設定した場合は、上記画像データ出力領域を縦長に制御し、上記設定部が略正方形の撮影シーンを設定した場合は、上記画像データ出力領域を略正方形に制御する。
【００１２】
第１０の発明に係わる撮像装置は、被写体像を光電変換し画像データを出力する撮像部と、撮影シーンに応じて、縦横及び／又はアスペクト比、および露出制御や画像処理のための情報を記憶する記憶部と、上記撮影シーンを設定する設定部と、上記設定部によって設定された上記撮影シーンに応じて、上記撮像部から出力される画像データの画像データ出力領域を制御すると共に、上記露出制御や画像処理を行う制御部と、を有する。
第１１の発明に係わる撮像装置は、上記第１０の発明において、上記設定部によって設定された上記撮影シーンに基づいて、上記縦横及び／又はアスペクト比に応じた被写体像を表示する表示部を更に有する。
【００１３】
第１２の発明に係わる撮像装置の制御方法は、被写体像を画像データとして出力し、撮影に係わる撮像装置の複数の機能を一括して設定し、上記設定に応じて、上記画像データ出力領域の縦横及び／又はアスペクト比を制御する。
【発明の効果】
【００１４】
本発明によれば、撮影シーン等の機能の設定に応じて、縦横位置やアスペクト比を最適値に自動的に設定することのできる撮像装置および撮像装置の制御方法を提供することができる。
【図面の簡単な説明】
【００１５】
【図１】本発明の第１実施形態に係わるデジタルカメラの背面側から見た外観斜視図である。
【図２】本発明の第１実施形態に係わるデジタルカメラにおける電気回路を示すブロック図である。
【図３】本発明の第１実施形態に係わるデジタルカメラにおいて、撮像素子と撮影画面の関係を示す図である。
【図４】本発明の第１実施形態に係わるデジタルカメラにおけるシーンモード変更の動作を示すフローチャートである。
【図５】本発明の第１実施形態に係わるデジタルカメラにおける設定変更の動作を示すフローチャートである。
【図６】本発明の第１実施形態に係わるデジタルカメラにおける設定変更の動作の変形例を示すフローチャートである。
【図７】本発明の第１実施形態におけるデジタルカメラにおいて、背面液晶モニタにおける撮影シーン選択画面を示す図である。
【図８】本発明の第１実施形態におけるデジタルカメラにおいて、光学ファインダ内における表示状態を示す図である。
【図９】本発明の第１実施形態におけるデジタルカメラにおいて、背面液晶モニタにおける表示状態を示す図である。
【図１０】本発明の第１実施形態におけるデジタルカメラにおいて、アスペクト変更を伴うシーンの例を示す図である。
【図１１】本発明の第２実施形態に係わるデジタルカメラにおけるシーンモード変更の動作を示すフローチャートである。
【図１２】本発明の第２実施形態におけるデジタルカメラにおいて、手動でアスペクト比を設定した場合の光学ファインダ内における表示状態を示す図である。
【図１３】本発明の第２実施形態におけるデジタルカメラにおいて、背面液晶モニタにおける表示状態を示す図である。
【発明を実施するための形態】
【００１６】
以下、図面に従って本発明を適用したデジタルカメラを用いて好ましい実施形態について説明する。図１は、本発明の第１実施形態に係わるデジタル一眼レフレックスカメラの背面側から見た外観斜視図である。
【００１７】
図１に示すカメラ本体２００の前面（図面の反対側）の略中央には、レンズ鏡筒１００が装着される（図１ではレンズ鏡筒１００は不図示）。カメラ本体２００の正面左側のグリップ部の上部には、レリーズ釦が配置されている。また、グリップ部には、前ダイアル２２（図１には不図示、図２参照）が配置されている。この前ダイアル２２は、時計方向および反時計方向に回転自在であり、その回転方向と回転量が検知され出力される。
【００１８】
図１に示すように、カメラ本体２００の背面の右上には、後ダイアル２３が配置されている。後ダイアル２３も、前ダイアル２２と同様、時計方向および反時計方向に回転自在であり、その回転方向と回転量が検知され出力される。
【００１９】
後ダイアル２３の下側には、十字釦３２が配置されている。この十字釦３２は上側十字釦３２ａ、下側十字釦３２ｂ、右側十字釦、左側十字釦の４つの釦からなり、背面液晶モニタ３９上にカーソルが表示されている場合に、このカーソルの移動等に用いる。また、後述するように、撮影シーンの選択にあたって、撮影シーンの移動にも用いられる。４つの十字釦３２のほぼ中心にＯＫ釦３３が配置されている。このＯＫ釦３３は、十字釦３２によって選択された項目の決定を行うための操作部材である。
【００２０】
カメラ本体２００の背面の略中央の上部には、接眼部３８が設けられており、この中に接眼レンズ２０６が配置されている。カメラ本体２００は一眼レフレックスカメラであり、内部には、可動ミラー２０１やペンタプリズム２０５等のファインダ光学系（図２参照）が配置され、このファインダ光学系を通過した被写体光束が、この接眼レンズ２０６より出射する。撮影者は接眼レンズ２０６を介して、光学的に被写体像を観察することができる。
【００２１】
接眼部３８の下側には、背面液晶モニタ（以下、背面ＬＣＤと称す）３９が配置されている。背面ＬＣＤ３９は、ライブビュー表示を行い、また、記録済みの被写体像を再生表示し、撮影情報やメニューを表示するための表示装置である。撮影シーンの選択にあたっても使用される。これらの表示を行うことができるものであれば、液晶に限らない。また、本実施形態においては、カメラ本体２００の背面に配置しているが、撮影者が観察できる位置であれば、背面に限られない。
【００２２】
背面ＬＣＤ３９の下側には釦群が配置されており、その中の右側には、ライブビュー（ＬＶ）／プレビュー釦３５が配置されている。ライブビュー表示は、撮像素子によって取得した画像データに基づいて被写体像観察用に液晶モニタ等の表示装置に被写体像を表示することをいう。このＬＶ／プレビュー表示釦３５を操作することにより、ライブビュー表示モードを設定し、また再度操作するとライブビュー表示モードの解除を行う。また、プレビュー表示は、設定されている撮影シーンで決まる撮影条件で撮影した場合の被写体像を撮影前に事前表示することをいう。撮影シーンの変更中に、ＬＶ／プレビュー表示釦３５を操作することにより、撮影シーンに応じたプレビュー表示がなされる。
【００２３】
次に、図２を用いて、本実施形態におけるデジタルカメラの電気回路について説明する。レンズ鏡筒１００の内部には、焦点調節および焦点距離調節用の撮影光学系１０１を構成するレンズ１０１ａ、１０１ｂと、開口量を調節するための絞り１０３が配置されている。レンズ１０１ａ、１０１ｂの内のフォーカスレンズやズームレンズは光学系駆動機構１０７によって駆動され、絞り１０３は絞り駆動機構１０９によって駆動される。
【００２４】
光学系駆動機構１０７および絞り駆動機構１０９はそれぞれレンズＣＰＵ１１１に接続されており、このレンズＣＰＵ１１１は通信接点３００を介してカメラ本体２００に接続されている。レンズＣＰＵ１１１はレンズ鏡筒１００内の制御を行うものであり、光学系駆動機構１０７を制御してピント合わせや、ズーム駆動を行うとともに、絞り駆動機構１０９を制御して絞り値制御を行う。
【００２５】
カメラ本体２００内には、被写体像を観察光学系に反射するために撮影光学系１０１の光軸に対して４５度傾いた位置と、被写体像を撮像素子２１１に導くために跳ね上がった位置との間で、回動可能な可動反射ミラー２０１が設けられている。この可動反射ミラー２０１の上方には、フォーカシングスクリーン２０３が配置され、このフォーカシングスクリーン２０３の上方には、全面ＬＣＤ２０４が配置され、その上方にはペンタプリズム２０５が配置されている。
【００２６】
全面ＬＣＤ２０４は、液晶駆動回路２１０に接続されており、この液晶駆動回路２１０は、全面ＬＣＤ２０４の駆動制御を行う。液晶駆動回路２１０は、自動または手動設定された縦横位置やアスペクト比に応じて、後述する図７に示すような光学ファインダ画面となるように全面ＬＣＤ２０４の制御を行う。また、全面ＬＣＤ２０４の両側面には照明用ＬＥＤ２０８がそれぞれ配置されており、この照明用ＬＥＤ２０８は、ＬＥＤ駆動回路２０９に接続されている。
【００２７】
ペンタプリズム２０５の出射側には被写体像観察用の接眼レンズ２０６が配置され、この脇であって被写体像の観察に邪魔にならない位置に測光センサ２０７が配置されている。測光センサ２０７の出力は、測光処理回路２１２に接続されており、測光処理回路２１２は測光センサ２０７の出力に基づいて、被写体輝度に応じた被写体輝度信号を出力する。
【００２８】
上述の可動反射ミラー２０１の中央付近はハーフミラーで構成されており、この可動反射ミラー２０１の背面には、前述したように回動可能なサブミラー２０２が設けられている。可動反射ミラー２０１は可動ミラー駆動機構２２２によって駆動される。サブミラー２０２の下方には測距センサ２１８が配置されており、この測距センサ２１８には測距回路２１９が接続されている。測距センサ２１８および測距回路２１９によって、撮影光学系１０１によって結像される被写体像の焦点ズレ方向と焦点ズレ量を、所謂位相差法によって測定することができる。
【００２９】
可動反射ミラー２０１の後方には、露光時間制御用のフォーカルプレーンタイプのシャッタ２１３が配置されており、このシャッタ２１３はシャッタ駆動機構２２１によって駆動制御される。シャッタ２１３の後方には撮像素子２１１が配置されており、撮影光学系１０１によって結像される被写体像を電気信号に光電変換する。なお、撮像素子２１１としては、ＣＣＤ（Charge Coupled Devices）や、ＣＭＯＳ（Complementary Metal Oxide Semiconductor）等の二次元固体撮像素子を使用することができる。
【００３０】
撮像素子２１１は撮像素子駆動回路２２３に接続され、入出力回路２３９からの制御信号によって駆動制御される。撮像素子駆動回路２２３によって、撮像素子２１１から出力された光電アナログ信号が増幅され、アナログデジタル変換（ＡＤ変換）される。撮像素子駆動回路２２３はＡＳＩＣ(Application Specific Integrated Circuit  特定用途向け集積回路)２６２内の画像処理回路２２７に接続され、この画像処理回路２２７によってデジタル画像データのデジタル的増幅（デジタルゲイン調整処理）、色補正、ガンマ(γ)補正、コントラスト補正、ホワイトバランス、階調補正、白黒・カラーモード処理、ライブビュー画像処理といった各種の画像処理がなされる。
【００３１】
画像処理回路２２７は、データバス２６１に接続されている。このデータバス２６１には、画像処理回路２２７の他、後述するシーケンスコントローラ(以下、「ボディＣＰＵ」と称す)２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、操作部材検知回路２５３が接続されている。
【００３２】
データバス２６１に接続されているボディＣＰＵ２２９は、このデジタルカメラの動作を制御するものであり、フラッシュメモリ２４９に記憶されているプログラムに従って制御を行う。またデータバス２６１に接続されている圧縮伸張回路２３１はＳＤＲＡＭ２３８に記憶された画像データをＪＰＥＧ等の静止画用の圧縮形式で圧縮し、また画像再生時に伸張するための回路である。なお、画像圧縮はＪＰＥＧに限らず、他の圧縮方法も適用できる。
【００３３】
データバス２６１に接続されたビデオ信号出力回路２３３は液晶モニタ駆動回路２３５を介して背面ＬＣＤ３９に接続される。ビデオ信号出力回路２３３は、ＳＤＲＡＭ２３８、または記録媒体２４５に記憶された画像データを、背面ＬＣＤ３９に表示するためのビデオ信号に変換するための回路である。また、液晶モニタ駆動回路２３５において、後述する図７および図９に示すように、設定された縦横位置やアスペクト比に応じた視野になるように制御する。
【００３４】
ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。
【００３５】
上述のＬＥＤ駆動回路２０９、液晶駆動回路２１０、測光処理回路２１２、測距回路２１９、シャッタ駆動機構２２１、可動ミラー駆動機構２２２、撮像素子駆動回路２２３に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。
【００３６】
データバス２６１に接続された記録媒体制御回路２４３は、記録媒体２４５に接続され、この記録媒体２４５への画像データ等の記録の制御を行う。データバス２６１に接続されているフラッシュメモリ制御回路２４７は、フラッシュメモリ（Flash Memory）２４９に接続され、このフラッシュメモリ２４９は、カメラのフローを制御するためのプログラムを記憶しており、前述したように、ボディＣＰＵ２２９はこのプログラムに従ってデジタルカメラの制御を行う。また、フラッシュメモリ２４９には、撮影シーンに応じて、自動設定する縦横やアスペクト比、ホワイトバランス、階調、露出制御モードや、後述するサンプル画像１３５等の情報を記憶している。なお、フラッシュメモリ２４９は、電気的に書き換え可能な不揮発性メモリである。
【００３７】
前述の前ダイアル２２と、後ダイアル２３と、十字釦３２は、操作部材検知回路２５３に接続されている。操作部材検知回路２５３は、前ダイアル２２および後ダイアル２３が回転操作された場合には、その回転方向および回転量を検知する。十字釦３２の内の上側十字釦３２ａ等の４つの釦が操作された場合には、いずれの釦が操作されたかを検知する。また、操作部材検知回路２５３には、前述のＬＶ／ライブビュー釦３４、レリーズ釦の他、図示しないパワースイッチ等を含むその他のスイッチ２５５に接続されており、これらの種々の操作部材の操作状態や、検知スイッチ等の状態を検知する。なお、レリーズ釦は、撮影者が半押しするとオンする第１レリーズスイッチと、全押しするとオンする第２レリーズスイッチを有している。
【００３８】
次に、光学ファインダの視野枠、背面ＬＣＤ３９の視野枠、および撮像素子２１１の撮影画面との関係について、図３を用いて説明する。図３は、撮像素子２１１と撮影画面との関係を示す図である。撮像素子２１１上のイメージサークル１２０内に、撮影光学系１０１によって被写体像が形成され、撮像素子２１１の各画素から画素信号が出力される。撮影時に横長画面１２１で画像を記録する場合には、撮影前に被写体像を光学ファインダによって観察する際に、横長画面１２１に対応する被写体像を観察できるように、光学ファインダの視野枠（後述する境界線２０４ａ）を設定する。また、被写体像を背面ＬＣＤ３９によってライブビュー表示する際には、横長画面１２１に対応する被写体像を観察できるように、背面ＬＣＤ３９の視野枠（後述する境界線３９ａ）を設定する。
【００３９】
また、撮影時に、正方形画面１２２で画像を記録する場合には、撮影前に被写体像を光学ファインダによって観察する際に、正方形画面１２２に対応する被写体像を観察できるように、光学ファインダの視野枠（境界線２０４ａ）を設定する。また、被写体像を背面ＬＣＤ３９によってライブビュー表示する際には、正方形画面１２２に対応する被写体像を観察できるように、背面ＬＣＤ３９の視野枠（境界線３９ａ）を設定する。
【００４０】
同様に、縦長画面１２３で画像記録する場合には、光学ファインダに縦長画面１２３に対応する被写体像を観察できるように、光学ファインダの視野枠（境界線２０４ａ）を設定する。また、被写体像を背面ＬＣＤ３９によってライブビュー表示する際には、縦長画面１２３に対応する被写体像を観察できるように、背面ＬＣＤ３９の視野枠（境界線３９ａ）を設定する。
【００４１】
なお、本実施形態においては、横長画面１２１においても縦長画面１２３においても、それぞれアスペクト比を無段階に変更することができる。この場合、アスペクト比を変更しても、撮影画面の対角線はイメージサークル１２０の直径となるようにしている。このため、アスペクト比を変更しても、画角は変化することがない。
【００４２】
次に、本実施形態における動作を、図４および図５に示すフローチャートを用いて説明する。ボディＣＰＵ２２９は、パワーオンリセットがかかると動作を開始し、メインルーチン中で撮影者がメニュー画面により撮影シーン変更を選択すると、図４に示すシーンモード変更のサブルーチンを実行する。このシーンモード変更のサブルーチンに入ると、まず、シーンの選択を行う（＃１０１）。
【００４３】
ステップ＃１０１におけるシーンの選択は、図７に示すような撮影シーン選択の画面から行う。この撮影シーンの選択画面は、背面ＬＣＤ３９に表示に表示されるが、全面ＬＣＤ２０４で表示し、光学ファインダ中で選択できるようにしても良い。撮影シーン選択画面の左側には、選択可能な撮影シーンアイコン１３１が表示される。この撮影シーンアイコン１３１は、十字釦３２の上側十字釦３２ａと下側十字釦３２ｂを操作することによって、選択可能である。選択されている撮影シーンは、背面ＬＣＤ３９の左上隅に選択撮影シーンアイコン１３２として表示され、このアイコン１３２の横にアイコン名称１３３が表示される。図７の例では、撮影シーンとして建物タワーが選択されていることを示している。
【００４４】
ステップ＃１０１においてシーンが選択されると、次に、説明文、シーンのサンプル画像の表示を行う（＃１０３）。このステップでは、ステップ＃１０１において選択された撮影シーンの説明文１３４とサンプル画像１３５を、背面ＬＣＤ３９の画面中に表示する。図７に示した例では、撮影シーンとして建物タワーが選択されており、縦長の建物をきれいに写す撮影シーンであることが説明され、サンプル画像１３５が表示される。
【００４５】
ステップ＃１０３において、説明文、サンプル画像の表示を行うと、次に、プレビューを行うか否かの判定を行う（＃１０５）。撮影者が、サンプル画像１３５に代えて、今の構図でどのような写真が撮影されるかを事前に確認したい場合には、ＬＶ／ライブビュー釦３５を操作するので、このステップでは操作部材検知回路２５３を介してＬＶ／ライブビュー釦３５の操作状態を判定する。
【００４６】
ステップ＃１０５における判定の結果、プレビューを行う場合には、カメラに記憶されていたサンプル画像１３５ではなく、ライブビュー画像に選択されたシーンの設定を適用したプレビュー画像を表示する（＃１０７）。このステップでは、プレビュー表示は、光学ファインダの場合には図８に示すように、また背面ＬＣＤ３９の場合には図９に示すように行う。
【００４７】
図８示す光学ファインダにおいては、手動または自動設定されたシャッタ速度、絞り値等を考慮した画像にはできないが、撮影シーンに応じて自動設定された縦横位置やアスペクト比に応じた画面となるようにする。この場合、設定された縦横位置やアスペクト比に応じた画面は全面ＬＣＤ２０４を透過状態とし、これ以外の画面については、半透過の状態（図８では斜線を施してある）で、被写体像を表示するようにし、両者の間の境に境界線３９ａを表示する。また、設定されている撮影シーンは撮影シーン番号１３８で表示する。
【００４８】
また、図９に示すライブビュー表示の場合には、プレビュー表示は、手動または自動設定されたシャッタ速度、絞り値、ＩＳＯ感度、ホワイトバランス等を考慮して行い、撮影シーンは選択撮影シーンアイコン１３２によって表示する。撮影シーンに応じて自動設定されている縦横位置やアスペクト比の部分については、画像データに基づいてそのまま被写体画像をプレビュー画像１３６として表示するが、設定以外の部分については半透過（図９においては斜線部で示す）で被写体像をプレビュー画像１３７として表示し、プレビュー画像１３６とプレビュー画像１３７の間には境界線３９ａを表示する。
【００４９】
ライブビュー表示の場合には境界線３９ａを、また光学ファインダの場合には境界線２０４ａを設け、また設定部分については透過で、また設定以外の部分については半透過で、プレビュー画像１３６、１３７を表示している。このため、撮影範囲内とそれ以外であることを視認することができると共に、後述するようにアスペクト比の調整を行う際に、構図の変更を容易に行うことができる。なお、本実施形態においては、透過と半透過によって撮影範囲と撮影範囲外を区別するようにしたが、これに限らず、例えば、ライブビュー表示の場合には、撮影範囲以外をモノトーンで表示したり、彩度を低下させるなど、他の方法で識別できるようにしても良い。また、境界線３９ａ、２０４ａのみでも撮影範囲内と撮影範囲外の区別を行うことが可能である。
【００５０】
ステップ＃１０７において、プレビュー画像の表示を行うと、またはステップ＃１０５における判定の結果、プレビューを行わない場合には、次に、シーンの決定を行う（＃１０９）。シーンの決定は、ＯＫ釦３３を操作することにより確定される。シーンが決定されるまでは、ステップ＃１０１に戻り、前述のステップを繰り返すことができる。
【００５１】
ステップ＃１０９において、シーンが決定されると、次に、アスペクト比、ホワイトバランス、階調、露出などを選択されたシーンの規定に変更する（＃１１１）。ここでは、撮影シーンごとにフラッシュメモリに２４９に記憶されている縦横やアスペクト比、ホワイトバランス、階調、露出制御モード等の規定値に基づいて設定する。撮影時には、その後修正されない限り、ここで設定されたアスペクト比等に従って画像データの画像処理等を行った後に記録媒体２４５に記録する。ステップ＃１１１において選択されたシーンの規定値に変更すると、シーンモード変更のサブルーチンを終了して、元のフローに戻る。
【００５２】
次に、本実施形態における設定変更の動作を、図５に示すフローチャートを用いて説明する。ボディＣＰＵ２２９は、前述したようにパワーオンリセットがかかると動作を開始し、メインルーチン中で図５に示す設定変更のサブルーチンを実行する。この設定変更のサブルーチンは、シーンモード変更において設定されたシーンによって決まる縦横位置やアスペクト比を、撮影者が調整したい場合に、メニューモードの中から選択することによって実行される。
【００５３】
図５の設定変更のフローに入ると、まず、アスペクト切り換えダイアル操作がなされたか否かの判定を行う（＃２０１）。ここでは、操作部材検知回路２５３によって前ダイアル２２または後ダイアル２３が回転操作されか否かを判定する。ステップ＃２０１における判定の結果、ダイアル操作が行われていた場合には、次に、ダイアルの回転方向および回転量を検出する（＃２０３）。この回転方向と回転量は、操作部材検知回路２５３の検出結果に基づいて判定する。
【００５４】
続いて、検出したダイアルの動きに応じて撮影範囲のアスペクトを変更する（＃２０５）。ここでは、ダイアルが一方向に回転した場合には、横長画面の方向にアスペクト比が大きくなるように撮影範囲を変更する（例えば、９：１６縦長→２：３縦長→３：４縦長→１：１正方形→４：３横長→３：２横長→１６：９横長）。またダイアルが他方向に回転した場合には、縦長画面方向にアスペクト比が大きくなるように撮影範囲を変更する（例えば、１６：９横長→３：２横長→４：３横長→１：１正方形→３：４縦長→２：３縦長→９：１６縦長）。
【００５５】
なお、ここで挙げたアスペクト比の変化は、変化方向を示すためであって、回転量に応じて小刻みにアスペクト比を変えていく。ここで設定した撮影範囲に応じて、記録媒体２４５に記録する画像データ出力領域の設定を行う。画像データ出力領域は、図３において説明した撮影画面の範囲の画素信号に相当する画像データの出力領域である。撮像素子２１１から画素信号を読み出す際に、撮像素子駆動回路２２３によって画像データ出力領域の画素信号を読み出すようにしても良いし、また、全画素の画素信号を読み出したのち、画像処理回路２２７等において画像データ出力領域に対応するデータを抽出するようにしても良い。
【００５６】
撮影範囲のアスペクトを変更すると、次に、モニタの撮影範囲を示す境界線を撮影範囲と同じになるように変更する（＃２０７）。このステップでは、光学ファインダで被写体像を観察するモードが選択されている場合には、液晶駆動回路２１０を制御し、ダイアル操作によって設定されたアスペクト比に応じて、図８に示したようなプレビュー画像１３６、１３７を表示し、また境界線２０４ａを表示する。また、ライブビュー表示モードが選択されている場合には、背面ＬＣＤ３９に表示する際に、液晶モニタ駆動回路２３５によって、ダイアル操作によって設定されたアスペクト比に応じて図９に示したようプレビュー画像１３６、１３７を表示し、境界線３９ａを表示する。プレビュー画像１３６は画像データ出力領域に対応する画像データを用いて表示し、プレビュー画像１３７は、画像データ出力領域外の画像データを用いて表示する。
【００５７】
ステップ＃２０７においてモニタ表示を行うと、または、ステップ＃２０１における判定の結果、アスペクト切り換えダイアルが操作されていなかった場合には、設定変更のサブルーチンを終了して、元のフローに戻る。
【００５８】
次に、本発明の第１実施形態における設定変更の変形例を、図６に示すフローチャートを用いて説明する。本発明の第１実施形態においてはアスペクト比の変更を前ダイアル２２または後ダイアル２３の回転操作によって行っていたが、本変形例においては、十字釦３２の操作によって行うようにしている。本変形例に構成は、本発明の第１実施形態における図５のフローチャートを図６に示すフローチャートに変更するのみであるので、相違点を中心に説明する。
【００５９】
設定変更のサブルーチンに入ると、まず、上釦が操作されたか否かの判定を行う（＃２１１）。このステップでは、操作部材検知回路２５３によって、上側十字釦３２ａが操作されたか否かの判定を行う。この判定の結果、上側十字釦３２ａが操作された場合には、次に、アスペクト比を一定量だけ縦長方向に変更する（＃２１３）。ここでは、撮像素子２１１の撮影範囲（画像データ出力領域）と背面ＬＣＤ３９や全面ＬＣＤ２０４の境界線３９ａ、２０４ａを、設定されたアスペクト比に応じて変更する。なお、縦長方向は、例えば、１６：９横長→３：２横長→１：１正方形→２：３縦長→９：１６縦長の方向であって、一定量は、適宜、設計値として定める。
【００６０】
アスペクト比を一定量だけ縦長方向に変更すると、次に、上側十字釦３２ａを押したまま一定時間が経過したか否かの判定を行う（＃２１５）。この判定の結果、一定時間、押されたままであった場合には、アスペクト比を略連続的に縦長方向に変更する（＃２１７）。すなわち、一定の割合で、撮像素子２１１の撮影範囲（画像データ出力領域）と背面ＬＣＤ３９や全面ＬＣＤ２０４の境界線３９ａ、２０４ａにおけるアスペクト比を縦長方向に変更していく。続いて、上側十字釦３２ａを押したままか否かを判定する（＃２１９）。上側十字釦３２ａが押されていた場合には、ステップ＃２１７に戻り、縦長方向にアスペクト比変更を続行する。
【００６１】
このようにステップ＃２１１において上側十字釦３２ａが操作されるとアスペクト比が縦長方向に一定量（１ステップ分）だけ変更され、一定時間以上操作されたままだと、連続的にアスペクト比が変更される。ここで変更されたアスペクト比に応じて、記録媒体２４５に記録される撮影範囲が変更され、また背面ＬＣＤ３９や全面ＬＣＤ２０４に表示される視野枠を示す境界線３９ａ、２０４ａが変更される。
【００６２】
ステップ＃２１９における判定の結果、上側十字釦３２ａの操作が停止され、またはステップ＃２１５における判定の結果、上側十字釦３２ａを押したまま一定時間が経過していない場合、またはステップ＃２１１における判定の結果、上側十字釦３２ａが操作されていなかった場合には、次に、下側十字釦３２ｂが操作されたか否かの判定を行う（＃２２１）。このステップでは、操作部材検知回路２５３によって、下側十字釦３２ｂが操作されたか否かの判定を行う。
【００６３】
ステップ＃２２１における判定の結果、下側十字釦３２ｂが操作された場合には、次に、アスペクト比を一定量だけ横長方向に変更する（＃２２３）。ここでは、撮像素子２１１の撮影範囲（画像データ出力領域）と背面ＬＣＤ３９や全面ＬＣＤ２０４の境界線３９ａ、２０４ａを、設定されたアスペクト比に応じて変更する。なお、横長方向は、例えば、９：１６縦長→２：３縦長→１：１正方形→３：２横長→１６：９横長の方向であって、一定量は、適宜、設計値として定める。
【００６４】
アスペクト比を一定量だけ横長方向に変更すると、次に、下側十字釦３２ｂを押したまま一定時間が経過したか否かの判定を行う（＃２２５）。この判定の結果、一定時間、押されたままであった場合には、アスペクト比を略連続的に横長方向に変更する（＃２２７）。すなわち、一定の割合で、アスペクト比を横長方向に変更していく。続いて、下側十字釦３２ｂを押したままかを判定する（＃２２９）。下側十字釦３２ｂが押されていた場合には、ステップ＃２２７に戻り、横長方向にアスペクト比変更を続行する。
【００６５】
このようにステップ＃２２１において下側十字釦３２ｂが操作されるとアスペクト比が横長方向に一定量（１ステップ分）だけ変更され、一定時間以上操作されたままだと、連続的にアスペクト比が変更される。ここで変更されたアスペクト比に応じて、記録媒体２４５に記録される撮影領域が変更され、また背面ＬＣＤ３９や前面ＬＣＤ２０４に表示される視野枠を示す境界線３９ａ、２０４ａが変更される。
【００６６】
ステップ＃２２９における判定の結果、下側十字釦３２ｂの操作が停止され、またはステップ＃２２５における判定の結果、下側十字釦３２ｂを押したまま一定時間が経過していない場合、またはステップ＃２２１における判定の結果、下側十字釦３２ｂが操作されていなかった場合には、設定変更のサブルーチンを終了して、元のフローに戻る。
【００６７】
なお、本変形例においても、背面ＬＣＤ３９におけるライブビュー表示の際には、図９を用いて説明したような表示がなされ、光学ファインによる観察の際には、図８を用いて説明したような表示がなされる。すなわち、プレビュー画像１３６、１３７との境界線３９ａ、２０４ａは設定されたアスペクト比に応じて変更され、また境界線３９ａ、２０４ａの外側であって、イメージサークル１２０内には撮影可能領域としてのプレビュー画像１３７がアスペクト比の変更が可能な領域として表示される。
【００６８】
本変形例において、ステップ＃２１１においては上側十字釦３２ａの操作状態を判定し、ステップ＃２２１においては下側十字釦３２ｂの操作状態を判定していたが、これに限らず、例えば、ステップ＃２１１においては上側十字釦３２ａまたは下側十字釦３２ｂの操作状態を判定し、ステップ＃２２１においては左右の十字釦３２の操作状態を判定しても構わない。
【００６９】
このように本発明の第１実施形態やその変形例においては、撮影シーンを設定すると、その撮影シーンに最適な縦横位置やアスペクト比を自動的に設定するようにしている。このため、手動で設定する手間を省くことができ、大変便利である。
【００７０】
なお、本実施形態では、撮影シーンとして建物タワーを設定した場合について説明したが、これに限らず、例えば、図１０（ａ）に示すような打ち上げ花火、図１０（ｂ）に示すような風景、図１０（ｃ）に示すような口腔、図１０（ｄ）に示すようなポートレートがある。縦横やアスペクト比としては、適宜事前設定しておけばよいが、打ち上げ花火の場合には縦長画像、風景の場合には横長画像、口腔の場合には横長画像、ポートレートの場合には略正方形画像等に設定すればよい。
【００７１】
次に、本発明の第２実施形態について、図１１ないし図１３を用いて説明する。第１実施形態においては、撮影シーンに対応して、それぞれ縦横やアスペクト比を自動的に決定するようにしていた。これに対して、第２実施形態においては、すべての撮影シーンに対応して縦横やアスペクト比を自動的に決定しておらず、予め決められた撮影シーンのみに縦横やアスペクト比を決定するようにしている。
【００７２】
第２実施形態における構成は、第１実施形態と同様であり、図４に示したシーン変更モードのフローチャートを、図１１に示すフローチャートに変更するだけであるので、この相違点を中心に説明する。また、図１１に示すフローチャートにおいて、図４と同じ処理を行うステップについては、同一のステップ番号を付し、詳しい説明は省略する。
【００７３】
シーンモード変更のフローに入ると、第１実施形態と同様に、シーンの選択を行い（＃１０１）、説明文およびサンプル画像の表示を行い（＃１０３）、プレビューを行うか否かの判定を行う（＃１０５）。この判定の結果、プレビューを行う場合には、次に、アスペクト比を自動変更しない設定か否かの判定を行う（＃１２１）。アスペクト比を自動変更するか否かは、フラッシュメモリ２４９に撮影シーンごとに記憶しておき、このステップでは、選択されているシーンについて、フラッシュメモリ２４９に記憶されている情報に基づいて判定する。
【００７４】
ステップ＃１２１における判定の結果、アスペクト比を自動設定する場合には、カメラに記憶されていた画像ではなく、ライブビュー画像に所望の設定を加えたプレビュー画像を表示する（＃１２３）。ここでは、撮影シーンに応じて予め決められているアスペクト比に応じた画像を、第１実施形態と同様に表示する。
【００７５】
一方、ステップ＃１２１における判定の結果、アスペクト比を自動設定しない場合には、カメラに記憶されていた画像ではなく、ライブビュー画像に所望の設定を加えたプレビュー画像を表示するが、この際、撮影シーンに応じて決められているアスペクト比は適用しない（＃１２５）。ここでは、アスペクト比は、カメラによって自動的に設定されないので、直前に設定されていたアスペクト比でプレビュー表示がなされる。撮影者は、図５または図６において説明した設定変更のフローによって、アスペクト比を変更することができる。
【００７６】
アスペクト比が撮影シーンによって自動的に表示されない場合には、光学ファインダの場合には、図１２に示すように、手動設定マーク１３９がファインダ内の全面ＬＣＤ２０４に表示される。また、ライブビュー表示の場合には、図１３に示すように、手動設定マーク１３９が背面ＬＣＤ３９に表示される。手動設定マーク１３９が表示されることによって、撮影者はアスペクト比が自動的に設定されないことを知るので、撮影者の意図に沿って手動で設定すれば良い。
【００７７】
ステップ＃１２３またはステップ＃１２５において、プレビュー表示を行うと、またはステップ＃１０５における判定の結果、プレビューではなかった場合には、次に、第１実施形態の場合と同様にして、シーンの決定を行う（＃１０９）。
【００７８】
シーンの決定を行うと、次に、アスペクト比を自動変更しない設定か否かの判定を行う（＃１２９）。この判定の結果、アスペクト比を自動変更する場合には、第１実施形態の場合と同様、アスペクト比、ホワイトバランス、階調、露出などを選択されたシーンの規定に変更する（＃１１１）。一方、ステップ＃１２９における判定の結果、自動変更でなかった場合には、アスペクト比を除いて、ホワイトバランス、階調、露出などを選択されたシーンの規定に変更する（＃１３３）。この場合には、シーンに対応してアスペクト比は記憶されておらず、撮影者が手動で設定するからである。
【００７９】
ステップ＃１１１、＃１３３において設定された規定値や、ステップ＃１１１において設定されたアスペクト比に基づいて、撮影時に画像データの画像処理等を行って記録媒体２４５に記録するする。アスペクト比の自動設定を行わない場合には、前述したように設定変更のフローにおいて変更可能である。ステップ＃１１１やステップ＃１３３において選択されたシーンの規定値に変更すると、シーンモード変更のサブルーチンを終了して、元のフローに戻る。
【００８０】
このように本発明の第２実施形態においては、撮影シーンによって縦横やアスペクト比を制御するものと制御しない場合がある。撮影シーンによっては、縦横やアスペクト比を自動設定しない方が良いものがあり、撮影者が手動設定するようにしている。
【００８１】
以上説明したように、本発明の実施形態やその変形例においては、撮影シーン等の撮像装置の複数の機能を一括して設定可能とし、この設定に応じて、画像データ出力領域の縦横及び／アスペクト比を制御するようにしている。このため、撮影シーンごとに、最適な縦横やアスペクト比を手動で設定する手間を省くことができ便利である。
【００８２】
また、本発明の実施形態やその変形例においては、撮影シーンモードは、画像データ出力領域の縦横及び／又はアスペクト比を制御するものと、制御しないものを含むようにしている。このため、制御しない場合には、撮影シーンに応じて撮影者の意図に反するようなアスペクト比等を自動設定されることがない。
【００８３】
さらに、本発明の実施形態やその変形例においては、ファインダ表示部やライブビュー表示部において、撮影シーンに応じて自動設定された縦横及び／又はアスペクト比に応じて、被写体像をプレビュー画像１３６で表示するようにしている。このため、撮影時に記録される撮影範囲を簡単に確認することができる。
【００８４】
さらに、本発明の実施形態やその変形例においては、ファインダ表示やライブビュー表示部において、シーンに応じて自動設定された縦横及び／又はアスペクト比に応じた撮影範囲以外のプレビュー画像１３７を表示するようにしている。このため、構図決定にあたって、アスペクト比等を変化させる場合に、撮影範囲内と外を同時に確認できるので便利である。
【００８５】
さらに、本発明の実施形態やその変形例においては、シーンに応じて自動設定された縦横及び／又はアスペクト比を、手動で調節できるようにしている。このため、構図を修正したい場合に、簡単に調整できるので便利である。
【００８６】
なお、本発明の実施形態やその変形例においては、アスペクト比設定のための操作部材として、前ダイアル２２や後ダイアル２３のような回転式ダイアルや、十字釦３２のような４つの押し釦を採用していたが、これに限らず、無段階で操作可能な操作部材であれば良く、例えば、レバーやタッチパネル等、種々の操作部材に変更可能である。
【００８７】
また、本発明の実施形態やその変形例においては、光学式ファインダとライブビュー表示の２つの被写体像観察のための表示モードを有していたが、いずれか一方のみでも構わない。また、光学式ファインダや背面ＬＣＤによるライブビュー表示以外にも、接眼部を通して被写体像を観察する、いわゆる電子ビューファインダでも、本発明を適用できる。
【００８８】
また、本発明の実施形態やその変形例においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも構わない。
【００８９】
本発明は、上記実施形態や変形例にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００９０】
２２・・・前ダイアル、２３・・・後ダイアル、３２・・・十字釦、３２ａ・・・上側十字釦、３２ｂ・・・下側十字釦、３３・・・ＯＫ釦、３５・・・ＬＶ／ライブビュー釦、３８・・・接眼部、３９・・・背面ＬＣＤ、３９ａ・・・境界線、１００・・・レンズ鏡筒、１０１・・・撮影光学系、１０１ａ・・・レンズ、１０１ｂ・・・レンズ、１０３・・・絞り、１０７・・・光学系駆動機構、１０９・・・絞り駆動機構、１１１・・・レンズＣＰＵ、１２０・・・イメージサークル、１２１・・・横長画面、１２２・・・正方形画面、１２３・・・縦長画面、１３１・・・撮影シーンアイコン、１３２・・・選択撮影シーンアイコン、１３３・・・アイコン名称、１３４・・・説明文、１３５・・・サンプル画像、１３６・・・プレビュー画像、１３７・・・プレビュー画像、１３８・・・撮影シーン番号、１３９・・・手動設定マーク、２００・・・カメラ本体、２０１・・・可動ミラー、２０２・・・サブミラー、２０３・・・スクリーン、２０４・・・全面ＬＣＤ、２０４ａ・・・境界線、２０５・・・ペンタプリズム、２０６・・・接眼レンズ、２０７・・・測光素子、２０８・・・照明用ＬＥＤ、２０９・・・ＬＥＤ駆動回路、２１０・・・液晶駆動回路、２１１・・・撮像素子、２１２・・・測光処理回路、２１３・・・シャッタ、２１８・・・測距センサ、２１９・・・測距回路、２２１・・・シャッタ駆動機構、２２２・・・可動ミラー駆動機構、２２７・・・画像処理回路、２２９・・・ボディＣＰＵ、２３１・・・圧縮伸張回路、２３３・・・ビデオ信号出力回路、２３５・・・液晶モニタ駆動回路、２３７・・・ＳＤＲＡＭ制御回路、２３８・・・ＳＤＲＡＭ、２３９・・・入出力回路、２４１・・・通信回路、２４３・・・記録媒体制御回路、２４５・・・記録媒体、２４７・・・フラッシュメモリ制御回路、２４９・・・フラッシュメモリ、２５３・・・操作部材検知回路、２５５・・・その他の各種スイッチ、２６１・・・バス、２６２・・・ＡＳＩＣ、３００・・・通信接点
【図１０】
2010212827.tif 000003
【図１】
2010212827.tif 000004
【図２】
2010212827.tif 000005
【図３】
2010212827.tif 000006
【図４】
2010212827.tif 000007
【図５】
2010212827.tif 000008
【図６】
2010212827.tif 000009
【図７】
2010212827.tif 000010
【図８】
2010212827.tif 000011
【図９】
2010212827.tif 000012
【図１１】
2010212827.tif 000013
【図１２】
2010212827.tif 000014
【図１３】
2010212827.tif 000015